(57)【要約】【課題】指定された表示条件に基づいたサムネイル画像の表示、プリント指示した画像の一覧表示等を可能とする画像出力装置を提供する。【解決手段】記録媒体から読み込んだ画像のサムネイル表示画面６００で表示の分類を指定すると、画像出力装置１０１は、「日付別」９０３、「月別」９０４、「フォルダ別」９０５等からなる表示分類指定画面９０２を表示する。例えば「月別」９０４を指定すると、画像出力装置１０１は、サムネイル画像６０１を、画像管理情報の撮影日時から月別にページ単位に分割し、月別の各ページ見出し８０５と共にページ８０１を表示する。表示したいページ見出し８０５（例えば、’０２年１１月）をクリックすると、画像出力装置１０１は、当該ページ８０１のサムネイル画像６０１を表示する。【選択図】  図９
2004255740.tif 000002
【特許請求の範囲】
【請求項１】
画像データを入力する画像入力手段と、
前記画像データを縮小したサムネイル画像を表示するサムネイル表示手段と、
前記画像データを印刷する印刷出力手段と、
を具備する画像出力装置であって、
前記サムネイル表示手段は、指定された表示条件に基づいたサムネイル画像を表示することを特徴とする画像出力装置。
【請求項２】
前記画像入力手段は、更に、各前記画像データに対応する画像管理情報を入力することを特徴とする請求項１記載の画像出力装置。
【請求項３】
前記画像管理情報は、撮影日時、ファイル名、フォルダ名等のいずれか少なくとも１つであることを特徴とする請求項２記載の画像出力装置。
【請求項４】
前記表示条件は表示順であり、この表示順に従って前記サムネイル画像を表示することを特徴とする請求項１記載の画像出力装置。
【請求項５】
前記表示順は、前記撮影日時の新しい順、前記撮影日時の古い順、前記ファイル名順等のいずれか少なくとも１つであることを特徴とする請求項４に記載の画像出力装置。
【請求項６】
前記表示条件は、分類別であり、サムネイル画像を分類別にページ単位に分割し、表示することを特徴とする請求項１記載の画像出力装置。
【請求項７】
前記表示条件は、分類別であり、分類別に前記表示条件を一覧表示し、指定された表示条件に該当するサムネイル画像を表示することを特徴とする請求項１記載の画像出力装置。
【請求項８】
前記分類は、前記撮影日時の日付別、前記撮影日時の月別、フォルダ別等のいずれか少なくとも１つであることを特徴とする請求項６、又は請求項７記載の画像出力装置。
【請求項９】
前記表示条件は、検索条件であり、前記検索条件に該当するサムネイル画像を表示することを特徴とする請求項１記載の画像出力装置。
【請求項１０】
前記検索条件は、前記撮影日時の日付、又は前記ファイル名であることを特徴とする請求項９記載の画像出力装置。
【請求項１１】
前記表示条件は、表示される行数と列数からなるサムネイル画像数であり、前記サムネイル画像を前記行数と前記列数に複数配列して表示することを特徴とする請求項１記載の画像出力装置。
【請求項１２】
画像データを入力する画像入力手段と、
前記画像データを縮小したサムネイル画像を表示するサムネイル表示手段と、
前記画像データを印刷する印刷出力手段と、
を具備する画像出力装置であって、
前記サムネイル表示手段は、プリント指定されたサムネイル画像を、同一画面内、又は画面を切り替えて表示することを特徴とする画像出力装置。
【請求項１３】
前記画像入力手段は、記録媒体から前記画像データを読み取る記録媒体読取手段を有することを特徴とする請求項１、又は請求１２記載の画像出力装置。
【請求項１４】
利用に対して課金を行う課金手段を具備することを特徴とする請求項１、又は請求項１２記載の画像出力装置。
【請求項１５】
コンピュータを請求項１から請求項１４までのいずれかに記載の画像出力装置として機能させるプログラム。
【請求項１６】
コンピュータを請求項１から請求項１４までのいずれかに記載の画像出力装置として機能させるプログラムを記録した記録媒体。
【発明の詳細な説明】
【０００１】
【発明の属する技術分野】
本発明は、デジタルカメラで撮影した画像、スキャナで読込んだ画像、持参した記録媒体に記録されている画像データ、装置に予め保存してある画像等を合成編集してプリントできる画像出力装置等に関する。
【０００２】
【従来の技術】
デジタルカメラ等で撮影した画像は、従来のように写真店にフィルムを持ち込んで印刷してもらうのでなく、パソコンやプリンタなどを用いて自宅でプリントすることが可能である。また、既にプリントされた写真もスキャナー等で読み取り、焼き増し、引き延ばしなどを行うことができる。
【０００３】
ところが、撮影した画像をより美しく、様々な工夫を凝らして加工したいという要求が存在する一方で、デジタルカメラ、パソコン、プリンタ、スキャナー等の電子機器は進歩が速く、次々に性能の高い新製品が売り出されるため、個人が常に、最高級のプリント作成を行うことは難しく、また撮影された画像と合成するフレーム画像等の副画像も、個人では利用可能なものには限界が有る。
【０００４】
そこで、カメラ店等の店舗に設置された、比較的小さなスペースに設置することが可能な画像出力装置である、デジタルフォトプリント装置により、画像が記録された記録媒体や、既にプリントされた写真を持ちこんで、フレーム画像等を合成したりしてプリントする方法がある（デジタルフォトプリントシステム、例えば、［特許文献１］、［非特許文献１］参照。）。
【０００５】
【特許文献１】
特開２００２−４６３２４号公報（第１８頁段落番号［０１４５］、図５〜図１０）
【非特許文献１】
大日本印刷株式会社、”デジカメプリントのすすめ”、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【０００６】
【発明が解決しようとする課題】
従来のデジタルフォトプリント装置では、撮影した画像の保存された記録媒体を利用者がリーダーに差し込み、その画像のサムネイルを複数画像表示するのが一般的である。その表示方法は、撮影した日付順であったり、ファイル名のアルファベット順であり、また、表示される画像数も、２行×５列で１０画像など、システムで取り決めた固有の順番、表示方法で表示されていた。
記録媒体内に１００近い画像が記録されているが、そのうち、ある特定の期間に撮影したものだけを表示させる場合、全部の画像が表示されてしまうため、プリントしたい画像の選択が煩雑になったり、プリントの対象でない画像まで扱うことにより、処理時間がかかるという問題があった。
【０００７】
また、プリント指示を行う場合、表示されたサムネイル画像の周辺に、枚数指定のボタンなどが配置されており、プリントしたい画像とその出力枚数を指定できるようになっている。一度に表示されるサムネイル画像数以上の画像に対してプリント指示を行う場合、、「前の画面」、「次の画面」などのボタンをクリックして、サムネイル画像の一覧表示の内容を切り替えて、画像にプリント指示を行う。この場合、現画面でのプリント指示画像及びそのプリント枚数はわかるものの、表示されていない画面に関しては、再表示しないとわからないという問題があった。
【０００８】
本発明は、以上の問題点に鑑みてなされたものであり、指定された表示条件に基づいたサムネイル画像の表示、プリント指示した画像の一覧表示等を可能とする画像出力装置を提供することを目的とする。
【０００９】
【課題を解決するための手段】
前述した目的を達成するために第１の発明は、画像データを入力する画像入力手段と、前記画像データを縮小したサムネイル画像を表示するサムネイル表示手段と、前記画像データを印刷する印刷出力手段と、を具備する画像出力装置であって、前記サムネイル表示手段は、指定された表示条件に基づいたサムネイル画像を表示することを特徴とする画像出力装置である。
【００１０】
また、前記画像入力手段は、更に、各前記画像データに対応する画像管理情報を入力することが望ましい。
また、前記画像入力手段は、記録媒体から前記画像データを読み取る記録媒体読取手段を具備することが望ましい。
【００１１】
「サムネイル画像」は、記録媒体から読み込んだ画像データを縮小した画像であり、モニタ画面に複数配置する。
「画像管理情報」は、記録媒体から読み込んだ各画像データに付随する情報であり、撮影日時、ファイル名、フォルダ名等である。
「表示条件」は、表示順、分類別、検索条件、表示サムネイル画像数等である。
「表示順」は、撮影日時の新しい順、撮影日時の古い順、前記ファイル名順等である。
「分類」は、撮影日時の日付別、撮影日時の月別、フォルダ別等である。
「検索条件」は、撮影日時の日付、ファイル名等である。
【００１２】
第１の発明では、画像データを入力し、入力した画像データを縮小したサムネイル画像を表示する際、指定された表示条件に基づいたサムネイル画像を表示し、画像データを印刷する。
【００１３】
第２の発明は、画像データを入力する画像入力手段と、前記画像データを縮小したサムネイル画像を表示するサムネイル表示手段と、前記画像データを印刷する印刷出力手段と、を具備する画像出力装置であって、前記サムネイル表示手段は、プリント指定されたサムネイル画像を、同一画面内、又は画面を切り替えて表示することを特徴とする画像出力装置である。
【００１４】
第２の発明では、画像データを入力し、画像データを縮小したサムネイル画像を表示する際、プリント指定されたサムネイル画像を、同一画面内、又は画面を切り替えて表示し、画像データを印刷する。
【００１５】
第３の発明は、第１の発明、又は第２の発明の画像出力装置として機能させるプログラムである。
第４の発明は、第１の発明、又は第２の発明の画像出力装置として機能させるプログラムを記録した記録媒体である。
【００１６】
上述のプログラムをＣＤ−ＲＯＭ等の記録媒体に保持させて流通させてもよいし、このプログラムを通信回線を介して送受することもできる。
【００１７】
【発明の実施の形態】
以下、添付図面を参照しながら、本発明に係る画像プリントシステム等の好適な実施形態について詳細に説明する。なお、以下の説明及び添付図面において、略同一の機能構成を有する構成要素については、同一の符号を付することにより重複説明を省略することにする。
【００１８】
最初に、図１を参照しながら、本発明の実施の形態に係る画像プリントシステム１００の構成について説明する。
図１は、画像プリントシステム１００の構成を示すブロック図である。
【００１９】
図１は、画像プリントシステムの１例であり、図１に示すように、画像プリントシステム１００は、画像出力装置１０１等により実現される。
画像出力装置１０１は、画像データ読込書込手段１１１、画像編集合成手段１１２、素材データベース（素材ＤＢ）１１３、プリント手段１１４、注文内容入力手段１１５、課金手段１１６等を備える。
【００２０】
画像データ読込書込手段１１１は、被写体１２１をデジタルカメラ等の撮像装置により撮像したり、原稿１２２をスキャナ装置等の原稿読取装置により読み取ったり、予め画像データが記録された記録媒体１２３から読み取ることにより、画像データを取得する。また、画像データ読込書込手段１１１は、画像出力装置１０１が作成した画像データを記録媒体１２３に記録することもできる。
記録媒体１２３は、例えば、スマートメディア、コンパクトフラッシュ（登録商標）カード（ＣＦカード）、フロッピー（登録商標）ディスク、ＰＣカード、ＣＤ−ＲＯＭ等である。
【００２１】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インターフェース手段と画像処理プログラムで構成される。加工や合成編集に扱う画像データとしては、素材データベース１１３に存在する素材画像データ、フレーム画像データ等を用いることもできる。
【００２２】
プリント手段１１４は、高解像度カラープリンタである。昇華型あるいはインクジェット型などの方式は問わない。プリント物１２４は、プリント出力された撮像による証明写真、デジタルカメラ画像等による写真、シールプリント、はがき等である。
【００２３】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合には、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定などがある。尚、利用者は、画像を出力する前に、１つ以上の画像データを指定して加工および合成編集することができる。
【００２４】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２５】
次に、図２を参照しながら、画像出力装置１０１の外観構成について説明する。
図２は、画像出力装置１０１の外観斜視図である。
【００２６】
画像出力装置１０１の上段部正面には、タッチパネル付きモニタ等であるモニタ画面２０１が配置されている。モニタ画面２０１は、操作の案内や、操作の状況や、読み取った画像或いは編集加工した画像等を表示する表示手段としての機能を発揮する。
【００２７】
モニタ画面２０１の画面の横には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体を撮像するためのレンズ窓２０４が設置される。これらのメディア挿入口２０２、スキャナ面２０３、レンズ窓２０４は、画像データ読込書込手段１１１の一部を構成する。
【００２８】
メディア挿入口２０２は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００２９】
また、画像出力装置１０１の筐体内には上記各記録媒体の挿入口に対応して、それぞれの読取書込装置の本体が設置されている。各挿入口には、手数料の徴収が完了するまで記録媒体を取り出せないように、シャッタ（図示しない）を備えても良い。
【００３０】
画像出力装置１０１の下段部には、料金投入口（硬貨投入口２０５、紙幣挿入口２０６）、返却レバー２０７、返却口２０８、レシート取出口２０９、プリント物取出口２１０、スピーカ２１１、メインテナンスキー２１２、ドア開閉キー２１３等がそれぞれ配置されている。
【００３１】
料金投入口（硬貨投入口２０５、紙幣挿入口２０６）、返却レバー２０７、返却口２０８、レシート取出口２０９は、課金手段１１６の一部を構成する。
顧客は、硬貨投入口２０５に硬貨を投入したり、紙幣挿入口２０６に紙幣を挿入することにより料金を支払う。釣銭がある場合には返却口２０８から放出されるので、それを受け取れる。また、注文を取りやめる場合や硬貨が詰まった時には硬貨返却レバー２０７を回すことにより返却口２０８から放出されるので、それを受け取れる。
料金を徴収した後、レシート取出口２０９から徴収した金額や注文内容が印刷されたレシートが放出される。
【００３２】
プリント物取出口２１０は、プリント手段１１４の一部を構成する。利用者は、タッチパネルボタンに触れるなどしてプリント実行を指示した後、プリント物取出口２１０から放出されるプリント物１２４を受け取る。
スピーカ２１１は、待機中や操作中に音声、ＢＧＭ、効果音などを再生する。
【００３３】
メンテナンスキー２１２は、利用者を受け付けることのできる通常の運転モードと、管理者が画像プリントシステムの設定やメンテナンスを行う管理モードを切り替えるキーである。
【００３４】
また、外観からは明確に認識できないが、ポスト型画像出力装置１０１の筐体内には、ポスト型画像出力装置１０１の各構成部分を制御するための制御部を含むパソコンや、電圧の変換を行う電源ボックス、停電時に制御部のＣＰＵやハードディスク等の破損を防ぐ無停電電源装置等が設置される。
【００３５】
次に、図３を参照しながら、画像出力装置１０１の概略構成について説明する。
図３は、画像出力装置１０１のハードウェア構成図である。
【００３６】
画像出力装置１０１は、制御部３０１、ハードディスク３０２、入出力部３０３（ＣＤ−ＲＯＭドライブ装置、キーボード、マウス等）、デジタルカメラ３０５、スキャナ３０６、各種メディア読取書込部３０７（１〜ｎ）、シャッタ３０８（１〜ｎ）、モニタ３０９（タッチパネル付き）、コインメック３１０、ビルバリ３１１、レシートジャーナル処理部３１２、プリンタ３１３等が、バス３１４を介して接続される。
【００３７】
制御部３０１は、ＣＰＵ、ＲＯＭ、ＲＡＭ等で構成され、大容量記憶媒体としてのハードディスク３０２に格納されたプログラムに従って、バス３１４を介して接続された各装置を駆動制御する。
【００３８】
ハードディスク３０２には、各構成部分を駆動制御するプログラム、例えば各記録媒体１２３に対応する読取書込プログラム、シャッタの開閉制御プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３が格納されている。
【００３９】
これらの各プログラムコードは、制御部３０１により必要に応じて読み出されてＲＡＭに移され、ＣＰＵに読み出されて各種の手段として実行される。
【００４０】
入出力部３０３（ＣＤ−ＲＯＭドライブ装置、キーボード、マウス等）は、制御部３０１のＲＯＭやハードディスク３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４１】
デジタルカメラ３０５、スキャナ３０６、各種メディア読取書込部３０７（１〜ｎ）は、画像データ読込書込手段１１１に相当する。
シャッタ３０８は、記録媒体挿入口に設けられ、当該記録媒体挿入口を開閉し、読取処理の最中に記録媒体を取り出せないようにしたり、課金処理が完了するまで記録媒体を取り出せないようにすることができる。
【００４２】
モニタ３０９に表示された操作案内に従って、同モニタ３０９に表示されたタッチパネルボタンを選択し触れることにより、プリントモードの選択およびオリジナル画像データの読み込みから、加工、合成編集、プリント物１２４の出力までの一連の操作を行うことができる。
【００４３】
コインメック３１０、ビルバリ３１１、レシートジャーナル処理部３１２は、課金手段１１６に相当し、硬貨投入、紙幣挿入を受け付けたり、レシートの発行を行う。
プリンタ３１３は、プリント手段１１４に相当し、画像の印刷出力処理を行う。
【００４４】
次に、図４を参照しながら、画像出力装置１０１の動作について説明する。
図４は、画像出力装置１０１の動作を示すフローチャートである。
【００４５】
画像出力装置１０１は、サービスの内容、手順、案内等を示すメニュー画面を表示し、利用者に機能選択させる。（ステップ４０１）。
【００４６】
画像出力装置１０１は、画像データを取得する（ステップ４０２）。利用者は、画像データの入力に際し、記録媒体１２３からの読み取り、スキャナからの読み取り、撮像装置（デジタルカメラ等）による被写体の撮像等の方法を選択する。
【００４７】
画像出力装置１０１は、利用者の指示に基づいて、画像の加工、編集、合成等を行う（ステップ４０３）。画像の加工、編集、合成は、例えば、入力画像データ同士、フレーム画像、既存画像等の合成、塗色、文字入力、移動、拡大・縮小、はがきデータ作成等である。
【００４８】
画像出力装置１０１は、利用者の注文内容（出力形態（写真プリント、シールプリント、インデックスプリント、はがきプリント等）、プリント枚数等）に応じて、課金処理、レシート発行処理を行う（ステップ４０４）。
【００４９】
画像出力装置１０１は、色修正、リサイズ、トリミング、レイアウト、文字・ロゴ合成等の画像処理を行い（ステップ４０５）、画像処理した画像データをハードディスク装置等に保持し（ステップ４０６）、出力可能状態となったプリンタ装置に当該画像データを転送し、印刷出力処理を行う（ステップ４０７）。
画像プリントシステム１００の稼働を続ける場合（ステップ４０８のＮｏ）、画像出力装置１０１は、ステップ４０１〜ステップ４０８までの処理を繰り返す。
【００５０】
次に、記録媒体１２３から画像を読み取る場合の画像の取得処理（ステップ４０２）について、詳しく説明する。デジタルカメラで撮影した画像を記録した記録媒体１２３から、画像データを読み取り、実画像データの通常の出力等を行う場合、複数の読み込んだ画像データを縮小したサムネイル画像を表示し、これらのサムネイル画像６０１から画像選択を行い、プリント枚数やプリントサイズの指定などを行う。図５は、記録媒体１２３から画像を読み取る場合の画像の取得処理を示すフローチャートである。
【００５１】
画像出力装置１０１は、記録媒体１２３を該当するメディア挿入口に挿入し、画像データ、及びこれに付随する画像管理情報を読み込む（ステップ５０１）。画像管理情報は、撮影日時、ファイル名、フォルダ名等である。
【００５２】
画像出力装置１０１は、読み込んだ画像データから、モニタ画面に、サムネイル画像６０１を一覧表示する（ステップ５０２）。図６は、サムネイル表示画面６００を示す。
図６に示すように、サムネイル表示画面６００には、サムネイル画像６０１が適宜配列される。サムネイル画像６０１の数が多くて一画面に収まらない場合には、複数のページに分けて全てのサムネイル画像６０１が列挙される。「前のページ」ボタン６０７と「次のページ」ボタン６０８は、表示するページを前進後退させる。
【００５３】
画像出力装置１０１は、利用者による指定された表示条件に基づいたサムネイル画像６０１を表示する。表示画面設定ボタン群６０２は、モニタ画面上に表示するサムネイル画像６０１を表示する際の表示条件（表示順、表示画像数、表示の分類、検索条件等）を指定する、「表示の順番」ボタン６０３、「表示画像数」ボタン６０４、「表示の分類」ボタン６０５、「検索」ボタン６０６等を有する。「表示の順番」ボタン６０３は、サムネイル画像６０１の表示順（撮影日付の新しい順、古い順、ファイル名順等）を指定する。「表示画像数」ボタン６０４は、１画面に表示するサムネイル画像数を指定する。「表示の分類」ボタン６０５は、各画像の撮影日付、ファイル名に基づいた分類を指定する。「検索」ボタン６０６は、撮影日付、ファイル名等の検索条件を指定する。
【００５４】
サムネイル表示画面６００の最下段には、「中止」ボタン６０９と「前画面へ戻る」ボタン６１０、「決定」ボタン６１１が設けられている。一覧表示されたサムネイル画像６０１のなかからプリントしたい画像を選択し、プリント枚数を指定し、「決定」ボタン６１１をクリックすることにより、主画像として利用する画像を選択し、プリント指示を行う（ステップ５０３、５０４）。尚、サムネイル表示画面６００では、各サムネイル画像６０１に対応して設けるプリント枚数指定の表示を省略する。このプリント枚数指定については、後述説明する。
【００５５】
次に、図７から図１１を参照しながら、サムネイル画像６０１の表示条件（表示順、表示画像数、表示の分類、検索条件等）の指定について説明する。まず、サムネイル画像６０１の表示順の指定について説明する。図７は、サムネイル画像の表示順の指定のモニタ画面を示す。
【００５６】
図７に示すように、利用者が図６のサムネイル表示画面６００の「表示の順番」ボタン６０３をクリックすると、画像出力装置１０１は、「日付の新しい順」ボタン７０３、「日付の古い順」ボタン７０４、「ファイル名順」ボタン７０５等からなる表示順指定画面７０２を表示する。利用者は、「日付の新しい順」ボタン７０３、「日付の古い順」ボタン７０４、「ファイル名順」ボタン７０５等をクリックすることにより、撮影日付の新しい順、撮影日付の古い順、ファイル名順等の表示順を指定する。画像出力装置１０１は、画像データに対応する画像管理情報である撮影日時、ファイル名等を参照しながら、指定された表示順に従って、サムネイル画像６０１を表示する。
例えば、利用者が「日付の新しい順」ボタン７０３をクリックすると、画像出力装置１０１は撮影日付の新しい順にサムネイル画像６０１を表示する。
【００５７】
次に、サムネイル画像６０１の表示画像数の指定について説明する。図８は、サムネイル画像の表示画像数の指定のモニタ画面を示す。
【００５８】
図８に示すように、利用者が図６のサムネイル表示画面６００の「表示画像数」ボタン６０４をクリックすると、画像出力装置１０１は、表示画像数８０３からなる表示画像数指定画面８０２を表示する。利用者は、表示する行数と列数からなる表示画像数を選択、又は入力して指定する。画像出力装置１０１は、指定された行数×列数の表示画像数に従って、画面上に表示画像数分のサムネイル画像６０１を表示する。
例えば、利用者が表示画像数８０３（３×２）をクリックと、画像出力装置１０１は、３行×２列の６画像のサムネイル画像６０１を表示する。
また、利用者が表示画像数８０３に任意の数（例えば、２×２等）を入力して指定することができ、画像出力装置１０１は、指定された行数×列数（２×２）の表示画像数に従って、画面上に２行×２列の４画像のサムネイル画像６０１を表示する。
【００５９】
次に、サムネイル画像６０１の表示分類の指定について説明する。図９は、サムネイル画像の表示分類の指定のモニタ画面を示す。
【００６０】
図９に示すように、利用者が図６のサムネイル表示画面６００の「表示の分類」ボタン６０５をクリックすると、画像出力装置１０１は、「日付別」ボタン９０３、「月別」ボタン９０４、「フォルダ別」ボタン９０５等からなる表示分類指定画面９０２を表示する。利用者は、表示の分類を指定する。分類は、撮影日時の日付別、撮影日時の月別、フォルダ別等である。画像出力装置１０１は、画像管理情報の撮影日時、ファイル名、フォルダ名等に基づいて、サムネイル画像６０１を指定された分類別にページ８０１単位に分割し、分類別のページ名が明記されたページ見出し８０５とともに、ページ８０１を表示する。
【００６１】
例えば、利用者が「月別」ボタン９０４をクリックと、画像出力装置１０１は、サムネイル画像６０１を、画像管理情報の撮影日時から月別（例えば、’０１年１０月、’０２年７月、’０２年１１月、’０２年１２月等）にページ単位に分割し、’０１年１０月、’０２年７月、’０２年１１月、’０２年１２月等の月別ページ見出し８０５とともに、ページ８０１を表示する。利用者が’０２年１１月のページ見出し８０５をクリックすると、画像出力装置１０１は、当該ページ８０１の’０２年１１月に撮影されたサムネイル画像６０１を表示する。
【００６２】
次に、表示条件の一覧表示からのサムネイル画像の表示分類の指定について説明する。図１０は、表示条件の一覧表示からのサムネイル画像の表示分類の指定のモニタ画面を示す。
【００６３】
図１０に示すように、画像出力装置１０１は、「日付別」ボタン９０３、「月別」ボタン９０４、「フォルダ別」ボタン９０５等からなる表示分類指定画面９０２を表示する。利用者は、表示の分類を指定する。分類は、撮影日時の日付別、撮影日時の月別、フォルダ別等である。画像出力装置１０１は、画像管理情報の撮影日時、ファイル名、フォルダ名等に基づいて、指定された分類別に表示条件１００３を表示条件ウィンドウ１００２に一覧表示し、指定された表示条件１００３に該当するサムネイル画像６０１を表示する。
【００６４】
例えば、利用者が「フォルダ別」ボタン９０５をクリックと、画像出力装置１０１は、画像データの画像管理情報に基づいて、表示条件のフォルダ（例えば、フォルダ「１２３ａｂｃ」、フォルダ「１２４ａｂｃ」、フォルダ「１２５ａｂｃ」等）を表示条件ウィンドウ１００２に一覧表示し、利用者が、表示条件１００３のフォルダ「１２３ａｂｃ」をクリックすると、画像出力装置１０１は、当該表示条件１００３であるフォルダ「１２３ａｂｃ」のサムネイル画像６０１を表示する。
【００６５】
次に、サムネイル画像６０１の検索条件の指定について説明する。図１１は、サムネイル画像の検索条件の指定のモニタ画面を示す。
【００６６】
図１１に示すように、利用者が図６のサムネイル表示画面６００の「検索」ボタン６０６をクリックすると、画像出力装置１０１は、検索画面１１００を表示する。利用者は、検索条件１１０３を指定する。検索条件１１０３は、日付指定１１０１と、ファイル名指定１１０２等を有する。画像出力装置１０１は、画像管理情報の撮影日時、ファイル名等に基づいて、指定された検索条件１１０３に該当するサムネイル画像６０１をページ８０１に表示する。
例えば、利用者が日付指定１１０１で検索条件１１０３：「２００１／１０／５」から「２００１／１０／２０」を入力すると、画像出力装置１０１は、画像管理情報の撮影日時に基づいて、２００１年１０月５日〜１０月２０日の間に撮影されたサムネイル画像６０１をページ８０１に表示する。
【００６７】
次に、図１２から図１４を参照しながら、プリント指定された画像の一覧表示について説明する。図１２は、プリント指定を行うサムネイル表示画面１２００を示す、図１３は、プリント指定画像表示画面１３００を示す。図１４は、同一画面内のサムネイル表示とプリント指定画像表示を示す。
【００６８】
画像出力装置１０１は、モニタ画面上に、読み込んだ画像データからサムネイル画像６０１を表示するサムネイル表示画面１２００を表示する。図１２に示すように、サムネイル表示画面１２００は、適宜配列されたサムネイル画像６０１、各サムネイル画像６０１に対応してプリント枚数を指定するプリント枚数１２０１、プリント指定画像表示ボタン１２０２等からなる。利用者がプリントするサムネイル画像６０１に対してプリント枚数を指定し、プリント指定画像表示ボタン１２０２をクリックすると、画像出力装置１０１は、プリント指定画像１３０１を一覧表示するプリント指定画像表示画面１３００を表示する。
【００６９】
図１３に示すように、プリント指定画像表示画面１３００は、プリント指定画像１３０１、そのプリント枚数１２０１、サムネイル表示ボタン１３０２等からなる。プリント指定画像１３０１は、サムネイル表示画面１２００でプリント枚数１２０１を指定した画像である。サムネイル表示ボタン１３０２は、サムネイル表示画面１２００を表示する。
【００７０】
次に、サムネイル表示とプリント指定画像表示の同一画面上の表示（並列表示）について説明する。画像出力装置１０１は、同一画面上に、読み込んだ画像データからサムネイル画像６０１を表示するサムネイル表示画面１２００と、プリント指定画像表示画面１３００を設ける。図１４に示すように、サムネイル表示画面１２００は、適宜配列されたサムネイル画像６０１、各サムネイル画像６０１に対応してプリント枚数を指定するプリント枚数１２０１等からなる。プリント指定画像表示画面１３００は、プリント指定画像１３０１及びそのプリント枚数等からなる。利用者がプリント枚数を指定すると、画像出力装置１０１は、プリント指定画像表示画面１３００に、プリント枚数を指定したプリント指定画像１３０１及びそのプリント枚数を表示する。
【００７１】
例えば、利用者が、サムネイル表示画面１２００上で、「前のページ」ボタン６０７と「次のページ」ボタン６０８を用いて、複数のページにまたがって、プリント枚数１２０１を指定すると、プリント指定画像表示画面１３００に、現サムネイル表示画面１２００に表示されていないプリント指定された画像を含む、すべてのプリント指定されたプリント指定画像１３０１が表示される。
【００７２】
以上説明したように、本発明の実施の形態によれば、画像出力装置１０１は、記録媒体１２３からの画像データを読み込み、その画像データのサムネイル画像６０１を表示する場合、利用者が指定した、表示順、表示画像数、分類別、検索条件等の表示条件に基づいてサムネイル画像６０１を表示することにより、記録媒体１２３に記録された多数の画像に対して、プリントしたい画像の選択が容易になり、プリントするための操作時間も短縮する。
【００７３】
また、画像出力装置１０１は、サムネイル表示をする際、プリント指定されたサムネイル画像６０１を、同一画面内、又は画面を切り替えて一覧表示することにより、利用者はどの画像を何枚プリントしようとしているか確認し易くなる。
【００７４】
以上、添付図面を参照しながら、本発明にかかる画像プリントシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００７５】
【発明の効果】
以上、詳細に説明したように本発明によれば、指定された表示条件に基づいたサムネイル画像の表示、プリント指示した画像の一覧表示等を可能とする画像出力装置を提供することができる。
【図面の簡単な説明】
【図１】画像プリントシステム１００の構成を示すブロック図
【図２】画像出力装置１０１の外観斜視図
【図３】画像出力装置１０１のハードウェア構成図
【図４】画像出力装置１０１の動作を示すフローチャート
【図５】記録媒体１２３から画像を読み取る場合の画像の取得処理を示すフローチャート
【図６】サムネイル表示画面６００を示す図
【図７】サムネイル画像の表示順の指定のモニタ画面を示す図
【図８】サムネイル画像の表示画像数の指定のモニタ画面を示す図
【図９】サムネイル画像の表示分類の指定のモニタ画面を示す図
【図１０】表示条件の一覧表示からのサムネイル画像の表示分類の指定のモニタ画面を示す図
【図１１】サムネイル画像の検索条件の指定のモニタ画面を示す図
【図１２】プリント指定を行うサムネイル表示画面１２００を示す図
【図１３】プリント指定画像表示画面１３００を示す図
【図１４】同一画面内のサムネイル表示とプリント指定画像表示のモニタ画面を示す図
【符号の説明】
１００………画像プリントシステム
１０１………画像出力装置
１１１………画像データ読込書込手段
１１２………画像編集合成手段
１１３………素材データベース
１１４………プリント手段
１１５………注文内容入力手段
１１６………課金手段
３０１………制御部
３０２………ハードディスク
３０９………モニタ（タッチパネル付）
３１３………プリンタ
６０１………サムネイル画像
１３０１………プリント指定画像
【図１】
2004255740.tif 000003
【図２】
2004255740.tif 000004
【図３】
2004255740.tif 000005
【図４】
2004255740.tif 000006
【図５】
2004255740.tif 000007
【図６】
2004255740.tif 000008
【図７】
2004255740.tif 000009
【図８】
2004255740.tif 000010
【図９】
2004255740.tif 000011
【図１０】
2004255740.tif 000012
【図１１】
2004255740.tif 000013
【図１２】
2004255740.tif 000014
【図１３】
2004255740.tif 000015
【図１４】
2004255740.tif 000016